(57)【要約】【課題】  被写体の瞳への照明の映り込みを美しくし、撮影画像の印象を良くすることができる自動写真作成装置を提供する。【解決手段】  自動写真作成装置の主筐体には、被写体を照射する複数の照明パネル２１１ａ〜２１１ｈと、撮影コーナーにおける被写体を撮影するためのカメラ２１とが設けられる。照明パネル２１１ａ〜２１１ｈのそれぞれは、間を空けて配置されている。その間の部分は、黒色で着色される。カメラ２１の周りを取り囲む８個の照明パネル２１１ａ〜２１１ｈが発光することにより、８個の光が被写体の瞳の中に映り込む。【選択図】        図１
2006323286.tif 000002
【特許請求の範囲】
【請求項１】
被写体を撮影するカメラと、
前記カメラの周囲に設けられ、前記被写体を照明する複数の照明装置とを備え、
前記複数の照明装置は、それぞれ間をあけて設けられ、
前記複数の照明装置のそれぞれからの光が前記被写体の瞳に映り込むとき、前記複数の照明装置のそれぞれの光が分かれて写り込むように構成されている、自動写真作成装置。
【請求項２】
前記複数の照明装置のそれぞれの間は、黒色に彩色される、請求項１に記載の自動写真作成装置。
【請求項３】
前記複数の照明装置は、異なる方向から被写体を照らすことができるように、少なくとも一部が傾けられる、請求項１または２に記載の自動写真作成装置。
【請求項４】
前記カメラの周囲に、前記被写体の瞳に光を映し込むための光源を複数設けることを特徴とする、請求項１〜３のいずれかに記載の自動写真作成装置。
【請求項５】
前記複数の照明装置は、複数の発光パターンで発光することができるように構成される、請求項１〜４のいずれかに記載の自動写真作成装置。
【請求項６】
前記複数の照明装置は、所定のタイミングにおいて、所定の発光パターンで発光することができるように構成される、請求項１〜５のいずれかに記載の写真自動作成装置。
【請求項７】
自動写真作成装置の制御方法であって、
前記自動写真作成装置は、
被写体を撮影するカメラと、
前記カメラの周囲に設けられ、前記被写体を照明する複数の照明装置とを備え、
前記複数の照明装置は、それぞれ間をあけて設けられ、
前記複数の照明装置のそれぞれからの光が前記被写体の瞳に映り込むとき、前記複数の照明装置のそれぞれの光が分かれて写り込むように構成され、
前記照明装置で前記被写体を照らすことで、前記被写体の瞳に前記複数の照明装置からの光を分割させて映り込ませ、その状態において前記カメラで前記被写体を撮影する撮影ステップと、
前記撮影ステップで撮影された画像を編集する編集ステップと、
前記編集が行なわれた画像をプリントするプリントステップとを備えた、自動写真作成装置の制御方法。
【請求項８】
自動写真作成装置の制御プログラムであって、
前記自動写真作成装置は、
被写体を撮影するカメラと、
前記カメラの周囲に設けられ、前記被写体を照明する複数の照明装置とを備え、
前記複数の照明装置は、それぞれ間をあけて設けられ、
前記複数の照明装置のそれぞれからの光が前記被写体の瞳に映り込むとき、前記複数の照明装置のそれぞれの光が分かれて写り込むように構成され、
前記照明装置で前記被写体を照らすことで、前記被写体の瞳に前記複数の照明装置からの光を分割させて映り込ませ、その状態において前記カメラで前記被写体を撮影する撮影ステップと、
前記撮影ステップで撮影された画像を編集する編集ステップと、
前記編集が行なわれた画像をプリントするプリントステップとをコンピュータに実行させる、自動写真作成装置の制御プログラム。
【発明の詳細な説明】
【技術分野】
【０００１】
この発明は、自動写真作成装置、自動写真作成装置の制御方法、および自動写真作成装置の制御プログラムに関し、特に、被写体の瞳への照明の映り込みを美しくして撮影画像の印象をよくすることができる自動写真作成装置、自動写真作成装置の制御方法、および自動写真作成装置の制御プログラムに関する。
【背景技術】
【０００２】
近年、ゲームセンター等の遊戯を提供する店舗において、写真を撮影してシールプリント等にする自動写真作成装置が数多く設置されている。このような自動写真作成装置には、一般に、被写体である利用者を自動写真作成装置に付属のカメラで撮影した画像を、タブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
また、このような自動写真作成装置は、撮影時に被写体である利用者を照明するための蛍光灯やフラッシュ（ストロボ）ライトを備えている。
【０００４】
自動写真作成装置の分野において、以下の特許文献１は、傘型ストロボライトを上下に配置し、その右にライトボックスを配置する事項を開示している。
【０００５】
特許文献２は、撮像領域を均一に照明することができるように照明装置を構成する技術を開示している。
【０００６】
特許文献３は、撮影テーマに対応する発光パターンでストロボを発光させることを開示している。
【０００７】
特許文献４は、被写体の瞳に映り込む光源を写真シール払出装置に設けることを開示している。
【０００８】
特許文献５は、利用者の黒目部分に所定の図形を映り込ませて撮影することができるように構成された画像印刷装置を開示している。
【０００９】
特許文献６は、利用者の角膜（黒目部分）を部分的に明るくすることで、利用者の黒目を美しく撮影することができる自動写真作成装置を開示している。
【特許文献１】特開２００４−２８７３６９号公報
【特許文献２】特開２００１−３３７３８６号公報
【特許文献３】特開２００５−１２５４１号公報
【特許文献４】特開２００２−５６４５７号公報
【特許文献５】特開２００４−７６０９号公報
【特許文献６】特開２００４−２１９８０８号公報
【発明の開示】
【発明が解決しようとする課題】
【００１０】
自動写真作成装置において被写体の写り具合を良くすることによって撮影画像の印象を良くすることは重要な課題であり、近年、被写体の瞳（黒目部分）が美しく写るようにすることも重要視されている。
【００１１】
このような観点の下、瞳に照明装置の形状を映り込ませることで瞳をきれいに見せることが考えられる。従来の技術において、カメラの周囲を覆うように独立した照明装置を配置することが提案されているが、瞳全体に白色の照明が写り込み、黒目部分全体の色が白くなってしまうことがあった。特に、写真を小サイズで印刷すると、上記の黒目部分全体が白くなってしまう傾向が顕著であり、撮影画像の印象が悪くなるため利用者に不評であるという問題があった。
【００１２】
この発明は上記問題点を解決するためになされたものであり、被写体の写りを良くすることができる自動写真作成装置、自動写真作成装置の制御方法、および自動写真作成装置の制御プログラムを提供することを目的としている。
【課題を解決するための手段】
【００１３】
上記目的を達成するためこの発明のある局面に従うと、自動写真作成装置は、被写体を撮影するカメラと、カメラの周囲に設けられ、被写体を照明する複数の照明装置とを備え、複数の照明装置は、それぞれ間をあけて設けられ、複数の照明装置からの光が被写体の瞳に映り込むとき、複数の照明装置のそれぞれの光が分かれて写り込むように構成される。
【００１４】
なお、照明装置の形態としては、複数の照明パネルのそれぞれにストロボや蛍光灯を備えたものや、複数の照明パネルに対して１つのストロボや１つの蛍光灯を対応させたものが考えられる。
【００１５】
好ましくは複数の照明装置のそれぞれの間は、黒色に彩色される。
好ましくは複数の照明装置は、異なる方向から被写体を照らすことができるように、少なくとも一部が傾けられる。
【００１６】
好ましくは自動写真作成装置は、カメラの周囲に、被写体の瞳に光を映し込むための光源を複数設けることを特徴とする。
【００１７】
好ましくは複数の照明装置は、複数の発光パターンで発光することができるように構成される。
【００１８】
好ましくは複数の照明装置は、所定のタイミングにおいて、所定の発光パターンで発光することができるように構成される。
【００１９】
すなわち、コイン投入（１枚１枚のコインを投入していくタイミング）にあわせて所定のパターンで発光すること、撮影の案内（カウントダウンのタイミング）に同期して所定のパターンで発光すること、撮影時のＢＧＭに同期して所定のパターンで発光すること、撮影プレイの進行に同期して所定のパターンで発光すること、利用者が選択した撮影モードに応じて所定の発光パターンで発光すること、利用者の操作に応じて所定の発光パターンで発光することなどである。
【００２０】
この発明の他の局面に従うと自動写真作成装置の制御方法において、自動写真作成装置は、被写体を撮影するカメラと、カメラの周囲に設けられ、被写体を照明する複数の照明装置とを備え、複数の照明装置は、それぞれ間をあけて設けられ、複数の照明装置のそれぞれからの光が被写体の瞳に映り込むとき、複数の照明装置のそれぞれの光が分かれて写り込むように構成され、自動写真作成装置の制御方法は、照明装置で被写体を照らすことで、被写体の瞳に複数の照明装置からの光を分割させて映り込ませ、その状態においてカメラで被写体を撮影する撮影ステップと、撮影ステップで撮影された画像を編集する編集ステップと、編集が行なわれた画像をプリントするプリントステップとを備える。
【００２１】
この発明の他の局面に従うと、自動写真作成装置の制御プログラムにおいて、自動写真作成装置は、被写体を撮影するカメラと、カメラの周囲に設けられ、被写体を照明する複数の照明装置とを備え、複数の照明装置は、それぞれ間をあけて設けられ、複数の照明装置のそれぞれからの光が被写体の瞳に映り込むとき、複数の照明装置のそれぞれの光が分かれて写り込むように構成され、自動写真作成装置の制御プログラムは、照明装置で被写体を照らすことで、被写体の瞳に複数の照明装置からの光を分割させて映り込ませ、その状態においてカメラで被写体を撮影する撮影ステップと、撮影ステップで撮影された画像を編集する編集ステップと、編集が行なわれた画像をプリントするプリントステップとをコンピュータに実行させる。
【発明の効果】
【００２２】
この発明によると、自動写真作成装置に複数の照明装置が備えられ、複数の照明装置は、それぞれ間をあけて設けられ、複数の照明装置のそれぞれからの光が被写体の瞳に映り込むとき、複数の照明装置のそれぞれの光が分かれて写り込むように構成されるため、被写体の瞳への照明の映り込みを美しくして撮影画像の印象をよくすることができる自動写真作成装置、自動写真作成装置の制御方法、および自動写真作成装置の制御プログラムを提供することが可能となる。
【発明を実施するための最良の形態】
【００２３】
［第１の実施の形態］
図１は、本発明の第１の実施の形態における自動写真作成装置の主筐体の斜視図であり、図２は、第１の実施の形態における自動写真作成装置の側面図であり、図３は、第１の実施の形態における自動写真作成装置の主筐体の正面図である。
【００２４】
図を参照して、主筐体は、主筐体に対向する撮影コーナー（図２における符号２０５）内の被写体を照明するための複数の照明パネル２１１ａ〜２１１ｈと、撮影コーナー２０５における被写体を撮影するためのカメラ２１と、カメラ２１を覆うフード２１ａと、撮影コーナー２０５においてユーザに対し情報を表示しまたユーザからの情報を受付ける撮影操作モニタ２２およびそれに積層されるタッチパネル２３と、コイン投入口２１７と、コイン返却口２１９と、シールなどの媒体にプリントされた写真を排出するプリント排出口２０７とを備えている。ここでは、照明パネル２１１ａ〜２１１ｈのそれぞれは同一形状である。
【００２５】
図２に示されるように主筐体の背面に、撮影画像に対して画像の入力や編集を行なうための落書コーナー（編集部）３０が設けられている。
【００２６】
図に示されるように、カメラ２１および撮影操作モニタ２２などが、照明パネル２１１ａ〜２１１ｈが設置される面よりも後方に位置するように、カメラ２１および撮影操作モニタ２２などが設置される面は、主筐体の正面部分から窪んだ部分に設置される。
【００２７】
照明パネル２１１ａ〜２１１ｈが設置される面と略同一平面上にカメラ２１を設けると、カメラ２１に接近したとき、被写体である利用者は、照明パネルによる圧迫感を感じるという問題がある。また、被写体がカメラ２１に接近しすぎてしまう可能性もある。被写体がカメラ２１に接近しすぎてしまうと、カメラ２１の特性によって、撮影画像がピンボケしてしまうという問題がある。上記のように窪んだ部分を構成することによって、カメラ２１と被写体との間の距離をある程度取ることができるため、被写体がカメラ２１に最も接近したときでも圧迫感を感じさせないようにすることができるとともに、撮影画像のピンボケを防止できる。
【００２８】
また、上記のように窪んだ部分を設ける場合には、被写体とカメラ２１との間が暗くなってしまうために、被写体に充分な光を照射できない。このため、上記の窪んだ部分の表面は、被写体がカメラ２１に近づいても充分な光を被写体に対して照明できるように、光を透過する照明パネル２２０ａ〜２２０ｄを配置しておくことが好ましい。窪んだ部分の表面に配置するものは、照明パネル２２０ａ〜２２０ｄに限定するものではなく、被写体に光を照射できるものであれば蛍光灯などを配置してもよい。このようにすることによって、被写体がカメラ２１に近づいたとしても充分な光を被写体に対して照明することができる。
【００２９】
また、蛍光灯とストロボがその内部で発光することにより、照明パネル２１１ａ〜２１１ｈは光を発し、これにより利用者である被写体の照明が行なわれる。照明パネル２１１ａ〜２１１ｈのそれぞれは、その取り付け面から突出するように立体的に形成されている。
【００３０】
このような照明パネル２１１ａ〜２１１ｈは乳白色のアクリル板が用いられる。このような素材を用いることで、上記の突出するような形状への成型加工が容易に行ないやすい。
【００３１】
なお、上記の形態では、照明パネル２１１ａ〜２１１ｈのそれぞれは、その取り付け面から突出するように立体的に形成されているが、照明パネル２１１ａ〜２１１ｈのそれぞれは、その取り付け面と略同一平面上に形成されていても同一の効果を奏する。
【００３２】
また、照明パネル２１１ａ〜２１１ｈのそれぞれは、間を空けて配置されている。その間の部分（図１および図３でドットのハッチングで示される部分）は、発光せず、かつ光が反射しないように構成されている。
【００３３】
なお、図１および図３でドットのハッチングで示される部分を着色するのは、瞳の中に映り込む光の像をきれいに分割するためである。この部分は例えば、瞳の色に合わせた茶色などの彩色を施すようにするなど、どのような色でも構わない。しかしながら、赤色や青色など有彩色が施されている場合には、施された色の影響で、被写体の肌に赤みや青みがかかったような撮影画像ができてしまい印象が悪いし、白色が施されている場合には、光と白色の像が瞳に映り込むため、被写体の黒目全体が白っぽく写った撮影画像ができてしまい印象が悪いという問題がある。このため、黒色（またはある程度光を吸収する色）で着色されることがより好ましい。
【００３４】
上記の構成によれば、カメラ２１を取り囲む８個の照明パネル２１１ａ〜２１１ｈが発光することにより、図２３（Ａ）が図示するように、８個の光が被写体の瞳の中に映り込む。そして、照明パネル２１１ａ〜２１１ｈの間の黒色の着色により、瞳の中に映り込む光と光との間を黒くする（分割する）ことができ、被写体の瞳への映り込みを美しくして、印象の良い、美しい写真を提供することができる。
【００３５】
また、照明パネル２１１ａ〜２１１ｈの少なくとも一部は、異なる方向から被写体を照らすことができるように、図１に示されるように傾けられることが望ましい。
【００３６】
図４は、自動写真作成装置の落書コーナー（編集部）３０の正面図である。
図を参照して、落書コーナー３０には、撮影された画像を表示し、編集画像の入力を受付ける編集操作モニタ３１およびタッチパネル３２と、タッチペン３３Ｌ，３３Ｒとが備えられている。
【００３７】
図５は、図１の自動写真作成装置の内部構成を示す図である。
図を参照して、主筐体の内部には、常時発光し撮影コーナー２０５の内部を照明する蛍光灯２５と、シャッタのタイミングに合せて照明を行なうフラッシュ（ストロボ）２６ａ，２６ｂと、被写体の撮影を行なうためのカメラ２１とが設けられている。
【００３８】
また、カメラの周りに分割された照明パネルを設置することとしたので、各照明パネル内に個別の照明装置（蛍光灯、ストロボ）を内蔵させることもできる。
【００３９】
さらに、各照明パネル内に、Ｒ（Red）、Ｇ(Green)、Ｂ（Blue）の光の三原色のＬＥＤを備えて、その発光を調整することによって、様々な色の光で照明できるようにしてもよい。
【００４０】
図６は、自動写真作成装置の機能構成の具体例を示す図である。
図６を参照して、本実施の形態にかかる自動写真作成装置は、各機能や処理動作のための演算、制御の中心部となり、主に撮影側で行なわれるプレイの処理動作と、印刷を実行する撮影用コンピュータ装置１００ａと、主に編集側で行なわれるプレイの処理動作を実行する編集用コンピュータ装置１００ｂと（これらをまとめてコンピュータ装置１００という）、基板から構成され、コンピュータ装置１００からの指示を受けて、接続してある各種装置を制御、駆動する制御部１１０とを備える。撮影用コンピュータ装置１００ａと編集用コンピュータ装置１００ｂとは、互いに接続され、画像データや情報データなどの授受をピアツーピアで行なう。これらは自動写真作成装置の制御手段として機能する。
【００４１】
自動写真作成装置は、電源を必要とする蛍光灯２５、ストロボ２６などの電源系統を制御する電源制御部１０８を備え、外部からそれらの装置に対する電源の電圧を安定させるよう制御する。図示はしていないが、電源制御部１０８はストロボ２６などの他にも電源を必要とする機器に接続し、同様の制御を行なう。さらに、そのような電源の投入および切断は、電源スイッチを押すことで行なわれる。しかし、電源切断によりコンピュータ装置１００で動作しているプログラムを強制的に終了させることは、動作を不安定にさせる原因となる。そのため、電源が落とされても、しばらくはＵＰＳ（Uninterrupted Power Supply）１０９が電源をバックアップし、コンピュータ装置１００に停電信号を送信する。その間に、コンピュータ装置１００はプログラムの終了の手続を行ない、プログラムを正常に終了させる。一方、コンピュータ装置１００を正規の手順で終了した場合は、その旨の信号がＵＰＳ１０９に送信される。
【００４２】
撮影用コンピュータ装置１００ａは、撮影用コンピュータ装置１００ａの中心部として演算処理を行なう演算装置であるＣＰＵ(Central Processing Unit)１０１ａと、装置を動作させるためのプログラムおよびプログラムで必要なグラフィックデータ、音声データ、撮影された画像や撮影画像に対して入力した編集画像その他の各種画像な
どを記憶する記憶部１０２ａと、プログラムの一時的な作業領域ともなるメモリ１０３ａと、カメラ、各種モニタ、プリンタなどの周辺機器を制御するためのソフトウェアであるドライバ１０４ａ（不図示）と、ＬＡＮケーブルを介して外部機器と接続された場合に通信を行なう通信部１０５ａ（不図示）とを含む。また、入出力インターフェイス１０６（不図示）を備え、必要に応じて、磁気ディスクや光ディスクや光磁気ディスク、または半導体メモリが装着される。編集用コンピュータ装置１００ｂは、撮影用コンピュータ装置と同様な構成とするため詳細な説明は繰り返さない。
【００４３】
コンピュータ装置１００は、電源の投入及び切断を制御する電源スイッチが押され、本装置に電源プラグより電源が投入されると、プログラムが起動されて動作を開始する。撮影用コンピュータ装置１００ａは、接続されるカメラ２１のシャッタタイミングや、撮影操作モニタ２２での表示を制御する。編集用コンピュータ装置１００ｂは、接続される編集操作モニタ３１での表示やプリンタ８５での出力を制御する。
【００４４】
撮影用コンピュータ装置１００ａのＣＰＵ１０１ａは、カメラ２１が撮像する映像（ライブ映像）と、記憶部１０２ａに記憶されている撮影動作に関する指示や操作画面とを撮影操作モニタ２２に表示する。撮影操作モニタ２２への表示は、プログラムに応じてライブ映像のみを表示したり、操作画面を表示したり、ライブ映像と操作画面とを合成して表示したり、別の画面を表示したりする。
【００４５】
ライブ映像と撮影動作に関する情報や操作画面との合成は撮影用コンピュータ装置１００ａの記憶部１０２ａに記憶されているソフトウェアで行なってもよいし、このような合成をするための専用の制御装置（基板）を撮影操作モニタ２２に接続するなどハードウェアで行なってもよい。
【００４６】
また、撮影用コンピュータ装置１００ａは、上記プログラムの実行や、タッチパネル２３から受信した、利用者の指などでタッチされる入力操作にしたがった指示信号に基づいて、制御部１１０に対して制御信号を送信する。編集用コンピュータ装置１００ｂは、タッチパネル３２から受信した、タッチペン３３Ｌ，３３Ｒでタッチされる入力操作にしたがった指示信号に基づいて、制御部１１０に対して制御信号を送信する。
【００４７】
タッチパネル２３は、撮影操作モニタ２２の上に積層されている。タッチパネル２３は、利用者の指などが触れられることによる入力を検出する。タッチ操作によってタッチパネル２３により検出されたデータ信号は、撮影用コンピュータ装置１００ａに送信される。撮影操作モニタ２２には、撮影用コンピュータ装置１００ａから送信されるデータが表示される。撮影用コンピュータ装置１００ａから送信されるデータとは、カメラ２１から撮像される映像や撮影指示や選択肢などであり、これらを適宜画面に表示することによって、撮影時の映像の視覚確認や各種誘導案内などを行なう。
【００４８】
タッチパネル３２は、編集操作モニタ３１の上に積層されている。タッチパネル３２は、タッチペン３３Ｌ，３３Ｒからの入力を検出する。タッチペン３３Ｌ，３３Ｒでの入力操作によってタッチパネル３２により検出されたデータ信号は、編集用コンピュータ装置１００ｂに送信される。編集操作モニタ３１には、編集用コンピュータ装置１００ｂから送信されるデータが表示される。したがって、利用者が落書きなどを入力している最中は、落書きなどが施された撮影画像が、編集操作モニタ３１に表示される。すなわち、利用者は編集操作モニタ３１に表示された撮影画像に対して、タッチペン３３Ｌ，３３Ｒを使用して、その上に編集入力処理を行なうことができる。
【００４９】
プリンタ８５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、自動写真作成装置は、プリンタ８５でシールが印刷されるものとして説明を行なうが、印刷媒体はシールに限定されず、他の印刷媒体であっても同様の処理が実行される。
【００５０】
プリンタ８５は、上述の用紙切れなどの状態を編集用コンピュータ装置１００ｂに通知する。編集用コンピュータ装置１００ｂは、その状態に応じて制御部１１０に制御信号を送信する。
【００５１】
なお、コンピュータ装置１００に各々接続される構成要素はこのような形態に限定されず、機能ごとに分かれていたり、位置ごとに分かれていたりしてもよい。さらに、コンピュータ装置１００は本実施形態のような２台で構成されていなくてもよく、１台でもよいし、２台以上で構成されていてもよい。
【００５２】
制御部１１０は、撮影用コンピュータ装置１００ａ、編集用コンピュータ装置１００ｂおよび電源制御部１０８の他に、コイン制御部１１３、撮影中ランプ７２ａ，７２ｂ、ストロボ制御部１１４、撮影用スピーカ２７、背景制御部１１５、編集用スピーカ３７、印刷中ＬＥＤ８１ａ，８１ｂ、印刷エラーＬＥＤ８２、サービスパネル１１６に接続される。
【００５３】
コイン制御部１１３は、コイン投入口に投入されたコインの正当性を検出し、制御部１１０にコインが投入されたことを示す検出信号を送信する。
【００５４】
制御部１１０は、コンピュータ装置１００から受信した制御信号にしたがって、コイン制御部１１３に対して制御信号を送信する。コイン制御部１１３は、該制御信号にしたがって、コインが投入されないようにコイン投入口２１７をブロックするか、コイン投入口２１７に投入されたコインをコイン返却口２１９から排出することができる。コイン制御部１１３は、前者の場合はコインブロッカとして機能し、後者の場合はコインキャンセラとして機能する。このことで、プレイ中にコイン投入を禁止することができる。
【００５５】
また、制御部１１０はコイン制御部１１３からコイン投入口２１７にコインが投入されたことを示す検出信号を受信すると、撮影中ランプ７２ａ，７２ｂを点灯させ、撮影コーナー２０５が「撮影中」であることを案内表示する。また、制御部１１０は、コンピュータ装置１００から、撮影処理が終了した場合に、撮影処理が終了したことを示す制御信号を受信し、該制御信号を受信すると、撮影中ランプ７２ａ，７２ｂを消灯させ、撮影コーナー２０５が「撮影中」でないことを案内表示する。
【００５６】
ストロボ制御部１１４は、カメラ２１に接続されて、カメラ２１におけるシャッタタイミングに応じた同期信号を取得する。そして、カメラ２１のシャッタタイミングに同期させて、ストロボ２６を発光させるように制御する。なお、ストロボ制御部１１４は制御部１１０と接続され、発光させるストロボ２６などの閃光照明装置の選定や、ストロボ２６の発光度の設定がなされる。蛍光灯２５などの常灯照明装置も同様に制御部１１０と接続され、その照明度合いなどの設定がなされる。
【００５７】
制御部１１０は、撮影用コンピュータ装置１００ａから受信した制御信号（指示コマンドなど）にしたがって、撮影用スピーカ２７に対して指示信号を送信し、自動写真作成装置の撮影プレイにおける操作などの案内やＢＧＭ（Back Ground Music）などを出力する。同様に制御部１１０は、編集用コンピュータ装置１００ｂから受信した制御信号にしたがって、編集用スピーカ３７に指示信号を送信し、自動写真作成装置の編集プレイにおける操作などの案内やＢＧＭなどを出力する。なお、撮影用スピーカ２７または編集用スピーカ３７の音声のボリュームを調整する音量調整つまみは、サービスパネル１１６に備えられる。
【００５８】
また、制御部１１０は、撮影用コンピュータ装置１００ａから、タッチパネル２３によって利用者が所望の背景を選択する入力操作にしたがった指示信号を受信し、該指示信号にしたがって背景制御部１１５を制御することにより、背景ロールカーテン４２の巻取りや繰り出しを制御する。このように背景制御部１１５で、モータの動作を制御することによって、利用者が選択した背景画像が施された背景ロールカーテン４２を巻取装置から繰り出しセットする。また、撮影用コンピュータ装置１００ａから受信した制御信号（指示コマンドなど）によって自動的に背景画像が決定され背景ロールカーテン４２のセットがなされてもよい。
【００５９】
サービスパネル１１６は、投入されたコインの枚数をカウントするコインカウンタ、印刷されたプリントの枚数をカウントするプリントカウンタ、撮影用スピーカ２７または編集用スピーカ３７から出力する音声のボリュームを調整する音量調整つまみ、テストモードを行なうためのテストボタン、コインを投入しなくても装置が利用できるようにするためのサービスボタン等を備えるパネルであって、自動写真作成装置の設置者が各種設定やメンテナンスの操作を行なう際に用いる。サービスパネル１１６は、サービスボタンの操作などの制御操作が行なわれると、その操作にしたがった制御信号を制御部１１０に対して送信する。
【００６０】
制御部１１０は、コンピュータ装置１００から受信した制御信号にしたがって、サービスパネル１１６に対して制御信号を送信する。サービスパネル１１６は、該制御信号に従って、コインカウンタやプリントカウンタを動作させる（例えばカウンタを１インクリメントする）。
【００６１】
さらに、制御部１１０は、編集用コンピュータ装置１００ｂから、プリンタ８５の状態に応じた制御信号を受信し、該制御信号にしたがって、印刷中ＬＥＤ８１ａ，８１ｂ及び印刷エラーＬＥＤ８２を制御する。かかる制御信号によって、印刷中ＬＥＤ８１ａ，８１ｂ、および印刷エラーＬＥＤ８２が点灯または点滅する。
【００６２】
なお、言うまでもなく、自動写真作成装置の形態は図１〜図６に示される具体例に限定されるものではない。すなわち、図１〜図６に記載されない他の機能が備えられていてもよいし、図１〜図６に記載されている機能の必ずしも全てが備えられていなくても構わない。
【００６３】
図７は、自動写真作成装置の撮影処理を示すフローチャートである。
撮影処理は、撮影用コンピュータ装置１００ａのＣＰＵ１０１ａが、記憶部１０２ａに格納されたプログラムをメモリ１０３ａに読出して実行することによって実現される。
【００６４】
図を参照して、装置の電源が投入されると、ステップＳ１０１においてデモ画面を表示し、ステップＳ１０３でコイン投入口２１７によりコインの投入があったかが判定される。ＹＥＳであれば、ステップＳ１０５でカメラ２１を用いた撮影を行なう。
【００６５】
撮影を行なう前に、撮影コースの選択や撮影条件の選定を行なってもよい。
ステップＳ１１１で規定の撮影時間が経過したか、または規定の撮影回数が終了したかが判定され、ＮＯであればステップＳ１０５へ戻り、ＹＥＳであればステップＳ１１３で
編集処理が実行中であるかを判定する。ここでＮＯであれば、ステップＳ１１４で、撮影画像などの必要なデータを編集用コンピュータ装置１００ｂに転送する処理を行なう。ついで、ステップＳ１１５で編集空間へユーザを誘導する処理を行ない、ステップＳ１０１へ戻る。
【００６６】
ステップＳ１１３で編集処理が実行中であると判定されると、ステップＳ１１７で待機画面を表示し、ステップＳ１１３へ戻る。
【００６７】
編集空間では、撮影画像にスタンプなどの編集用画像を入力して編集をするための編集処理と、撮影画像と撮影画像に編集入力された編集用画像を合成した合成画像をシールなどにプリントするための印刷処理とが行なわれる。編集処理と印刷処理とは、編集用コンピュータ装置１００ｂのＣＰＵ１００ｂが記憶部１０２ｂに格納されたプログラムをメモリ１０３ｂに読出して実行することによって実現される。
【００６８】
以上のようにして、本実施の形態における自動写真作成装置によると、カメラ２１の周りを取り囲む８個の照明パネル２１１ａ〜２１１ｈが発光することにより、８個の光が被写体の瞳の中に映り込む。また、照明パネル２１１ａ〜２１１ｈのそれぞれは、間を空けて配置され、その間の部分が黒色（またはある程度光を吸収する色）で着色されている。これにより、瞳の中に映り込む光と光との間を黒くする（光を分割する）ことができ、被写体の瞳への照明の映り込みを美しくして、印象の良い写真を提供することができるという効果がある。
【００６９】
なお、照明パネルの形状は四角としたが、瞳の中に光がきれいに写り込む形状であれば、丸、楕円、菱型などの形状でも良い。また、複数の配置される照明パネルは大きさや、形状や、透過度、照明パネルの材質がそれぞれ異なっていてもよい。例えば、四角型や丸型の形状のパネルが混在して、美しく配置されていると、瞳に映り込む像がより美しくなるため、印象のよい写真を提供することができる。また、照明パネルは前述したような乳白色のアクリル板でなく、すりガラスなどの拡散性と透過性の高い板を用いてもよい。拡散性と透過性が高い板を用いることによって、例えば、Ｒ（Red）、Ｇ(Green)、Ｂ（Blue）の光の三原色のＬＥＤを備えて発光させる場合に、色の混色が多様になり、美しく表現できるため、幻想的な演出をすることができ効果的である。また、照明パネルのそれぞれを他の照明パネルから離して配置し、それぞれの照明パネル間に空間を設けることで、瞳の中に映り込む光と光との間を黒くする（光を分割する）ようにしてもよい。
【００７０】
［変形例１］
図８は、図３に示される自動写真作成装置の第１の変形例を示す図である。
【００７１】
第１の変形例では、図８に図示されるように、１つの照明装置（蛍光灯など）を複数の照明パネルに対応させる（照明装置の数を照明パネルの数よりも少なくする）ようにしてもよい。このようにすることによって、多数の照明装置を用いなくても照明が行なえるため、メンテナンスの回数や、電気の消費量を低減することができ、装置にかかるコストを抑制することになる。
【００７２】
カメラの周囲を覆うように独立した照明装置を配置する場合、照明装置を複数形成しなければならず、コストがかかってしまうという問題があり、そのような照明装置のそれぞれに蛍光灯やストロボを設置することで、コストアップは勿論のこと、メンテナンスの労力が過大となるという問題があるが、本変形例においてはそのような問題を解決することができる。
【００７３】
［変形例２］
また、図１に示されるように照明パネル２１１ａ〜２１１ｈが設置されている面よりもカメラ２１が設置されている部分は窪んでいるため、カメラ２１に被写体がある程度接近しても、瞳の中に照明パネル２１１ａ〜２１１ｈからの光を映り込ませることができる。
【００７４】
しかしながら、カメラ２１と被写体との距離が小さくなりすぎると、照明パネル２１１ａ〜２１１ｈからの光が瞳に写り込まなくなってしまうので、以下のように装置を構成することが望ましい。
【００７５】
図９は、図３に示される自動写真作成装置の第２の変形例を示す図である。
本変形例においては、カメラ２１を覆うフード２１ａ内にＬＥＤ３０１ａ〜３０１ｈ（または電球などの光源でもよい）を設置し、それを点灯させることで、カメラ２１に近接した被写体の瞳にＬＥＤ３０１ａ〜３０１ｈからの光を映しこむよう装置を構成する。
【００７６】
なお、ＬＥＤ３０１ａ〜３０１ｈは近接撮影が行なわれるときにのみ点灯させるようにしても良いし、常時点灯させることとしても良い。また、照明パネル２１１ａ〜２１１ｈと同様に、ＬＥＤ３０１ａ〜３０１ｈのそれぞれは、間を空けて配置することが望ましく、その間の部分が黒色（またはある程度光を吸収する色）で着色されることが望ましい。これにより、瞳の中に映り込む光と光との間を黒くする（分割する）ことができる。
【００７７】
なお、撮影操作モニタ２２に、カメラ２１から得られたライブ映像を写すようにすることで、利用者は、瞳の中にどのように光が映り込むかをリアルタイムに確認することができるという効果がある。
【００７８】
さらに、利用者が立つ位置（カメラ２１と被写体との間の距離）によって、瞳の中に映り込む光の形状、大きさが変わるため、利用者に対し、ナレーションや画面表示などで正しい立ち位置を指示するようにしても良い。
【００７９】
また、撮影操作モニタ２２に、カメラ２１から得られたライブ映像中の瞳の部分の拡大画像を写すことで、利用者に対し、瞳の中にどのように光が映り込むかをリアルタイムに確認させるようにしても良い。
【００８０】
［変形例３］
また、照明パネル２１１ａ〜２１１ｈは常に全て点灯させるのではなく、点灯させる位置を変化させるようにしても良い。
【００８１】
図１０〜図１２は、照明パネル２１１ａ〜２１１ｈの点灯パターンを示す図である。
ハッチングで示される照明パネルが発光するパネルを示している。図１０は、対角線状に照明パネルを発光させる例を示しており、瞳には図２３（Ｂ）に示されるように光が写り込む。図１１は、十字形状に照明パネルを発光させる例を示しており、瞳には図２３（
Ｃ）に示されるように光が写り込む。図１２は、中央縦２つの照明パネルを発光させる例を示しており、瞳には図２３（Ｄ）に示されるように光が写り込む。
【００８２】
このように、点灯させる照明パネルを変化させることにより、瞳に映り込む光の形状を変えることができ、変化にとんだ写真撮影が可能となる。点灯させる照明パネルを変化させる方法は、自動で選択するようにしても良いし、利用者に選択させるようにしてもよい。選択された点灯パターンによって各蛍光灯やＬＥＤの発光（点灯／消灯や光量の調節）が制御される。
【００８３】
［変形例４］
また、照明パネル２１１ａ〜２１１ｈを機器の操作に対する演出に使っても良い。
【００８４】
図１３〜図１６は、照明パネルの点灯パターンを示す図である。ここでは、照明パネル２１１ａ〜２１１ｈに加えて、撮影コーナ２０５の天井部分に被写体を照明する照明パネル２１１ｎを設けることとしている。
【００８５】
例えば、自動写真作成装置の使用の対価を４００円とした場合、１００円投入されると、図１３のように最も下の３つの照明パネルを点灯させ、その後、１００円が投入されるごとに図１４〜１６に示されるように徐々に上側の照明パネルも点灯して行く。そして、４００円が投入された段階で、図１６に示されるように全ての照明パネルを点灯させる。
【００８６】
なお、コイン投入時の点灯パターンは、上側から順次下側に向かって点灯していく形態でもよい。また、全ての対価（４００円）を投入し終わった後に、全て点灯するような形態でもよいし、１００円が投入される毎に光量が大きく（明るく）なっていくような形態でもよいし、光の色が変化するような形態でもよい。
【００８７】
また、上記のようにコイン投入前には、照明装置が点灯していない、あるいは光量が少ない（暗い）ように設定されている場合は、ユーザに装置内部がわかりやすいように足元を照らしたり、コイン投入口を照らしたりするような補助的な補助照明装置を配置して、点灯させておくことが好ましい。
【００８８】
また、上記のような点灯パターンが変化し演出手段として機能するのは、コイン投入時に限定するものではない。例えば、撮影（シャッタ動作）の案内（カウントダウンのタイミング）に同期して所定のパターンで発光すること、撮影時に流す音楽に同期して所定のパターンで発光すること、撮影プレイの進行に同期して所定のパターンで発光すること、利用者が選択した撮影モードに応じて所定の発光パターンで発光すること、利用者の操作に応じて所定の発光パターンで発光することなどを含む。
【００８９】
このように照明パネルを演出にも使用し、演出手段とすることで、装置のインパクトを強め、遊戯性を高めることができるという効果がある。
【００９０】
［第２の実施の形態］
図１７は、本発明の第２の実施の形態における自動写真作成装置の主筐体の斜視図であり、図１８は、第２の実施の形態における自動写真作成装置の側面図であり、図１９は、第２の実施の形態における自動写真作成装置の主筐体の正面図である。
【００９１】
この実施の形態では主筐体にカメラを挟むように左右に３枚ずつ、計６枚の照明パネル２１１ａ，２１１ｃ，２１１ｄ，２１１ｅ，２１１ｆ，２１１ｈを用いることとしている。即ち、第１の実施の形態におけるカメラ２１の上下に並ぶ照明パネル２１１ｂ，２１１ｇは本実施の形態では用いられていない。
【００９２】
また、本実施の形態では照明パネル２１１ａ，２１１ｃ，２１１ｄ，２１１ｅ，２１１ｆ，２１１ｈを傾斜させ、被写体を囲むように光を当てることとしている。また、照明パネル２１１ａ，２１１ｃ，２１１ｄ，２１１ｅ，２１１ｆ，２１１ｈの形状は、長方形ないし平行四辺形である。
【００９３】
本実施の形態においても、照明パネル２１１ａ，２１１ｃ，２１１ｄ，２１１ｅ，２１１ｆ，２１１ｈのそれぞれは傾斜し、間を空けて配置され、その間の部分が黒色（またはある程度光を吸収する色）で着色されている。これにより、瞳の中に映り込む光と光との間をより黒くする（分割する）ことができ、被写体の瞳への照明の映り込みを美しくして印象の良い写真を提供することができるという効果がある。
【００９４】
また、上記実施形態においては、装置を正面から見た形状が、人間の黒目の形状と合致するため、図２３（Ｅ）が図示するように被写体の瞳への照明の映り込みがより美しくなる。
【００９５】
［第３の実施の形態］
図２０は、本発明の第３の実施の形態における自動写真作成装置の主筐体の斜視図であり、図２１は、第３の実施の形態における自動写真作成装置の側面図であり、図２２は、第３の実施の形態における自動写真作成装置の主筐体の正面図である。
【００９６】
この実施の形態では主筐体にカメラを挟むように左右に２枚ずつ、カメラの上下に各１枚、計６枚の照明パネル２１１ａ，２１１ｂ，２１１ｃ，２１１ｆ，２１１ｇ，２１１ｈを用いることとしている。即ち、第１の実施の形態におけるカメラ２１の左右に並ぶ照明パネル２１１ｄ，２１１ｅは本実施の形態では用いられていない。
【００９７】
また、本実施の形態では照明パネル２１１ａ，２１１ｂ，２１１ｃ，２１１ｆ，２１１ｇ，２１１ｈを傾斜させ、被写体を囲むように光を当てることとしている。また、照明パネル２１１ａ，２１１ｂ，２１１ｃ，２１１ｆ，２１１ｇ，２１１ｈの形状は、長方形ないし平行四辺形である。
【００９８】
本実施の形態においても、照明パネル２１１ａ，２１１ｂ，２１１ｃ，２１１ｆ，２１１ｇ，２１１ｈのそれぞれは傾斜し、間を空けて配置され、その間の部分が黒色（またはある程度光を吸収する色）で着色されている。これにより、瞳の中に映り込む光と光との間をより黒くする（分割する）ことができ、被写体の瞳への照明の映り込みを美しくして、印象の良い写真を提供することができるという効果がある。
【００９９】
［その他］
なお、上述の自動写真作成装置のコンピュータ装置１００の制御方法を、プログラムとして提供することもできる。このようなプログラムは、コンピュータに付属するフレキシブルディスク、ＣＤ−ＲＯＭ（Compact Disc-Read Only Memory）、ＤＶＤ−ＲＯＭ（Digital Versatile Disc-Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１００】
提供されるプログラム製品は、ハードディスクなどのプログラム格納部にインストールされて実行される。なお、プログラム製品は、プログラム自体と、プログラムが記録された記録媒体とを含む。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０２】
【図１】本発明の第１の実施の形態における自動写真作成装置の主筐体の斜視図である。
【図２】第１の実施の形態における自動写真作成装置の側面図である。
【図３】第１の実施の形態における自動写真作成装置の主筐体の正面図である。
【図４】自動写真作成装置の落書コーナー（編集部）３０の正面図である。
【図５】図１の自動写真作成装置の内部構成を示す図である。
【図６】自動写真作成装置の機能構成の具体例を示す図である。
【図７】自動写真作成装置の動作を示すフローチャートである。
【図８】図３に示される自動写真作成装置の第１の変形例を示す図である。
【図９】図３に示される自動写真作成装置の第２の変形例を示す図である。
【図１０】第３の変形例における照明パネルの点灯パターンを示す図である。
【図１１】第３の変形例における照明パネルの点灯パターンを示す図である。
【図１２】第３の変形例における照明パネルの点灯パターンを示す図である。
【図１３】第４の変形例における照明パネルの点灯パターンを示す図である。
【図１４】第４の変形例における照明パネルの点灯パターンを示す図である。
【図１５】第４の変形例における照明パネルの点灯パターンを示す図である。
【図１６】第４の変形例における照明パネルの点灯パターンを示す図である。
【図１７】本発明の第２の実施の形態における自動写真作成装置の主筐体の斜視図である。
【図１８】第２の実施の形態における自動写真作成装置の側面図である。
【図１９】第２の実施の形態における自動写真作成装置の主筐体の正面図である。
【図２０】本発明の第３の実施の形態における自動写真作成装置の主筐体の斜視図である。
【図２１】第３の実施の形態における自動写真作成装置の側面図である。
【図２２】第３の実施の形態における自動写真作成装置の主筐体の正面図である。
【図２３】瞳に写り込む光を示す図である。
【符号の説明】
【０１０３】
２１  カメラ、２１ａ  フード、２２  撮影操作モニタ、２３  タッチパネル、３０  落書コーナー、３１  編集操作モニタ、３２  タッチパネル、２０１  主筐体、２０５  撮影コーナー、２１１ａ〜２１１ｈ  照明パネル。
【図１】
2006323286.tif 000003
【図２】
2006323286.tif 000004
【図３】
2006323286.tif 000005
【図４】
2006323286.tif 000006
【図５】
2006323286.tif 000007
【図６】
2006323286.tif 000008
【図７】
2006323286.tif 000009
【図８】
2006323286.tif 000010
【図９】
2006323286.tif 000011
【図１０】
2006323286.tif 000012
【図１１】
2006323286.tif 000013
【図１２】
2006323286.tif 000014
【図１３】
2006323286.tif 000015
【図１４】
2006323286.tif 000016
【図１５】
2006323286.tif 000017
【図１６】
2006323286.tif 000018
【図１７】
2006323286.tif 000019
【図１８】
2006323286.tif 000020
【図１９】
2006323286.tif 000021
【図２０】
2006323286.tif 000022
【図２１】
2006323286.tif 000023
【図２２】
2006323286.tif 000024
【図２３】
2006323286.tif 000025